(57)【要約】【課題】  省電力状態を損ねることなく、第２の電力状態から第１の電力状態に復帰させる際に、第１の電力状態へ移行する前に、所定の復帰処理を開始して復帰処理時間を短縮する。【解決手段】    第１の電力状態で電力を各デバイスに供給する第１の電源手段と、第２の電力状態で電力を各部に供給する第２の電源手段と、第２の電力状態で蓄電された電力を各部に供給する第３の電源手段とを備え、第１の電力状態よりも省電力の第２の電力状態に遷移させる画像形成装置において、第２の電力状態から第１の電力状態へ復帰する要因を検出した場合、第１の電源手段から電力を供給可能な状態であるかどうかを判断する。この際、第１の電源手段から電力を供給できると判断されるまで、第２の電源手段および第３の電源手段から各デバイスに電力を供給することを特徴とする。【選択図】  図８
2015174269.tif 000002
【特許請求の範囲】
【請求項１】
第１の電力状態よりも省電力の第２の電力状態に遷移させる画像形成装置であって、
前記第１の電力状態で電力を各デバイスに供給する第１の電源手段と、
前記第２の電力状態で電力を各部に供給する第２の電源手段と、
前記第２の電力状態で蓄電された電力を各部に供給する第３の電源手段と、
前記第２の電力状態から前記第１の電力状態へ復帰する要因を検出する検出手段と、
前記検出手段が前記第２の電力状態から前記第１の電力状態へ復帰する要因を検出した場合、前記第１の電源手段から電力を供給可能な状態であるかどうかを判断する判断手段と、
前記判断手段により前記第１の電源手段から電力を供給できると判断されるまで、前記第２の電源手段および前記第３の電源手段から各デバイスに電力を供給する制御手段と、
を備えることを特徴とする画像形成装置。
【請求項２】
前記制御手段は、前記第３の電源手段に蓄電される充電容量に応じて、前記第２の電源手段により電力を各デバイスに供給する第１の電力制御と、前記第２の電源手段および前記第３の電源手段により電力を各デバイスに供給する第２の電力制御とを切り替えることを特徴とする請求項１に記載の画像形成装置。
【請求項３】
前記第３の電源手段は、蓄電可能なコンデンサで構成することを特徴とする請求項１または２に記載の画像形成装置。
【請求項４】
前記第３の電源手段が供給する電力系統は、前記第２の電源手段が供給する電力系統と同系列であることを特徴とする請求項１乃至３のいずれか１項に記載の画像形成装置。
【請求項５】
前記第３の電源手段に残存する電力容量が所定容量を超えているかどうかを監視する監視手段を備えることを特徴とする請求項１乃至４のいずれか１項に記載の画像形成装置。
【請求項６】
各デバイスは、ＣＰＵ、ＲＡＭ、ＲＡＭを含むことを特徴とする請求項１または２に記載の画像形成装置。
【請求項７】
第１の電力状態で電力を各デバイスに供給する第１の電源手段と、第２の電力状態で電力を各部に供給する第２の電源手段と、前記第２の電力状態で蓄電された電力を各部に供給する第３の電源手段とを備え、第１の電力状態よりも省電力の第２の電力状態に遷移させる画像形成装置の制御方法であって、
前記第２の電力状態から前記第１の電力状態へ復帰する要因を検出する検出工程と、
前記検出工程が前記第２の電力状態から前記第１の電力状態へ復帰する要因を検出した場合、前記第１の電源手段から電力を供給可能な状態であるかどうかを判断する判断工程と、
前記判断工程により前記第１の電源手段から電力を供給できると判断されるまで、前記第２の電源手段および前記第３の電源手段から各デバイスに電力を供給する制御工程と、
を備えることを特徴とする画像形成装置の制御方法。
【請求項８】
請求項７に記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
近年、画像形成装置の消費電力も増加の傾向にあり、動作時の消費電力を落とすだけでなく、省電力モード状態においても極力消費電力を落として全体の消費エネルギーを小さくすることが求められている。
【０００３】
その方法として省電力モード時は、省電力モード用の電源を用意し主記憶装置にのみ電源を供給して、主記憶装置内にメインプログラムおよび必要なデータのみを保持しておくことにより実現している。省電力モード用の電源は省電力モード時に消費電力を抑えるよう、少ない使用電力を効率のよく変替できる電源を採用している。（例えば、特許文献１、２参照）
また、省電力モード用の電源と並列に補助電源を配置して省電力モード中は補助電源から電源を供給して消費電力を落とす方法も提案されている。（例えば、特許文献３参照）
【０００４】
一方、機能の増加、半導体の高速化などによって画像形成装置のスタンバイ、動作時に必要な電力は増加している。画像形成装置を通常動作させる電源は省電力モード用の電源とは異なるメイン電源で構成されており、高い使用電力を維持できる電源を採用している。
【先行技術文献】
【特許文献】
【０００５】
【特許文献１】特開２００５−７８１９７号公報
【特許文献２】特開２００７−２５８８２号公報
【特許文献３】特開２００４−２９４５５４号公報
【発明の概要】
【発明が解決しようとする課題】
【０００６】
しかしながら、上述した従来の技術では省電力モードからスタンバイに復帰させる際に必ず動作用の他の電源装置をオンさせなければならないため、その電源装置の立ち上がりを待ち、復帰時間が長くなるという課題がある。
また、復帰に必要な電力を省電力モード用の電源で賄おうとすると少ない使用電力時の効率が悪くなってしまい、省電力モード時の電力が高くなってしまうという課題がある。
【０００７】
本発明は、上記の課題を解決するためになされたもので、本発明の目的は、省電力状態を損ねることなく、第２の電力状態から第１の電力状態に復帰させる際に、第１の電力状態へ移行する前に、所定の復帰処理を開始して復帰処理時間を短縮できる仕組みを提供することである。
【課題を解決するための手段】
【０００８】
上記目的を達成する本発明の画像形成装置は以下に示す構成を備える。
第１の電力状態よりも省電力の第２の電力状態に遷移させる画像形成装置であって、前記第１の電力状態で電力を各デバイスに供給する第１の電源手段と、前記第２の電力状態で電力を各部に供給する第２の電源手段と、前記第２の電力状態で蓄電された電力を各部に供給する第３の電源手段と、前記第２の電力状態から前記第１の電力状態へ復帰する要因を検出する検出手段と、前記検出手段が前記第２の電力状態から前記第１の電力状態へ復帰する要因を検出した場合、前記第１の電源手段から電力を供給可能な状態であるかどうかを判断する判断手段と、前記判断手段により前記第１の電源手段から電力を供給できると判断されるまで、前記第２の電源手段および前記第３の電源手段から各デバイスに電力を供給する制御手段と、を備えることを特徴とする。
【発明の効果】
【０００９】
本発明によれば、省電力状態を損ねることなく、第２の電力状態から第１の電力状態に復帰させる際に、第１の電力状態へ移行する前に、所定の復帰処理を開始して復帰処理時間を短縮できる。
【図面の簡単な説明】
【００１０】
【図１】画像形成装置の構成を説明する断面図である。
【図２】画像形成装置の制御部の全体構成を示すブロック図である。
【図３】画像形成装置の電源部の構成を示すブロック図である。
【図４】コントローラ制御部の構成を示すブロック図である。
【図５】図１に示した画像形成装置の操作部の構成を表す図である。
【図６】画像形成装置の省電力モードの電源供給状態を示すブロック図である。
【図７】コントローラ制御部内の電源系統の構成を示す図である。
【図８】画像形成装置の制御方法を説明するフローチャートである。
【図９】画像形成装置の制御方法を説明するフローチャートである。
【図１０】画像形成装置の制御方法を説明するフローチャートである。
【図１１】画像形成装置の制御方法を説明するフローチャートである。
【図１２】画像形成装置の制御方法を説明するフローチャートである。
【発明を実施するための形態】
【００１１】
次に本発明を実施するための最良の形態について図面を参照して説明する。
＜システム構成の説明＞
〔第１実施形態〕
【００１２】
図１は、本実施形態を示す画像形成装置の構成を説明する断面図である。本例に示す画像形成装置は、イメージリーダ２００およびプリンタ部３００からなる画像形成装置本体、折り装置５００およびフィニッシャ６００を含んでいる。イメージリーダ２００の上部には、原稿搬送装置１００が装着されている。なお、本実施形態では、画像形成可能な第１の電力状態よりも省電力の第２の電力状態に遷移させる電力制御を行う画像形成装置を例とする。
【００１３】
原稿搬送装置１００は、原稿トレイ１０５上にセットされた原稿を先頭頁から順に１枚ずつ給紙し、湾曲したパスを介して原稿台ガラス２０５の上へと搬送する。片面原稿を読取る方法としては、原稿台ガラス２０５上の読取位置Ｒ１へ原稿の後端を搬送、停止させ、スキャナユニット２０６を左から右へ移動させることにより、原稿の読取りを行う原稿固定読取モードがある。また、原稿をある読取り速度で読取位置Ｒ１へ搬送し、スキャナユニット２０６を読取位置Ｒ１で固定したまま原稿の読取りを行う原稿流し読取モードがある。その後、いずれのモードの場合も、読取った原稿を排紙トレイ１０６に排出する。
【００１４】
両面原稿を読取る方法としては、スキャナユニット２０６で表面を読取り、原稿搬送装置１００内に配置した光学ユニット１１０を使用して裏面を読取る方法がある。光学ユニット１１０内には図示しないイメージセンサ２００および光源等が配置されている。
【００１５】
レンズ２０７を介してイメージセンサ２０８により読取られた原稿の画像は、画像処理されてコントローラ制御部４００のハードディスク４０７（以下、ＨＤＤ）に格納されるとともに、プリンタ制御部３０１を介して露光制御部３０５に送られる。露光制御部３０５は、画像信号に応じたレーザ光を出力する。
このレーザ光が感光ドラム３０６に照射されると、感光ドラム３０６上には静電潜像が形成される。感光ドラム３０６上の静電潜像は現像器３０７により現像される。感光ドラム３０６上の現像剤はカセット３０８、３０９、手差し給紙部３１０および両面搬送パス３１１のいずれかから給送されたシートに転写部３１２で転写される。
【００１６】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。
これにより、現像剤が転写された面を下向きの状態（フェイスダウン）にして排出ローラ３１７によりプリンタ部３００から排出することが可能である。これを反転排紙という。このように、フェイスダウンで排出することにより、原稿搬送装置１００を用いて複数枚の原稿を読取った画像をプリントする場合など、先頭頁から正しい頁順で画像形成を行うことが可能である。
【００１７】
なお、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。
【００１８】
また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００１９】
このように、転写部３１２から両面搬送パス３１１を経由して再び転写部３１２に戻る一巡のパスの中に、Ａ４、Ｂ５等のハーフサイズ用紙が５枚入った状態でも搬送可能なように、パス長、ローラ配置、駆動系の分割がなされている。尚、これらの処理による排出頁順は、奇数頁が下向きになるように排出されるので、両面コピー時の頁順を合わせることができる。
【００２０】
排出ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれる。しかし、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
コントローラ制御部４００はイメージリーダ２００、プリンタ部３００折り装置５００およびフィニッシャ６００と通信を行い、画像形成装置全体の制御を司る。
【００２１】
電源部３５０は、画像形成装置全体の電源を構成し、コントローラ制御部４００はイメージリーダ２００、プリンタ部３００折り装置５００およびフィニッシャ６００に電源を供給する。なお、折り装置５００およびフィニッシャ６００は独立して電源を持たせてもよい。
【００２２】
図２は、図１に示した画像形成装置の制御部の全体構成を示すブロック図である。画像形成装置全体を制御するコントローラ制御部４００を中心に構成されている。
【００２３】
図２において、コントローラ制御部４００は、操作部８００の設定や外部コンピュータ４５３からの指示に基づいて原稿搬送装置１００を制御する原稿搬送装置制御部１０１を有する。そしてイメージリーダ２００を制御するイメージリーダ制御部２０１と通信を行い入力される原稿の画像データを取得する。また、プリンタ部３００を制御するプリンタ制御部３０１と通信を行い、画像データをシートに印刷する。折り装置５００を制御する折り装置制御部５０１、フィニッシャ６００を制御するフィニッシャ制御部６０１と通信を行い、印刷されたシートにステイプルやパンチ穴といった所望の出力を実現する。
【００２４】
外部Ｉ／Ｆ４５１は外部コンピュータ４５３とを接続するインターフェース４であり、例えばネットワークやＵＳＢなどの外部バス４５２で接続し外部コンピュータ４５３からのプリントデータを画像に展開して出力する。また、ＨＤＤ４０７内の画像データを外部コンピュータ４５３に送信することを行う。 
コントローラ制御部４００は、各省電力モードを実現するために電源部３５０の電源制御を実施する。
【００２５】
図３は、図２に示した画像形成装置の電源部３５０の構成を示すブロック図である。
図３において、電源部３５０は、ＡＣ電源３５１よりＤＣ電源を作り出して、各制御部に電力を供給する。省エネ電源３５２は、主に画像形成装置が省電力モード時に必要な電力をコントローラ制御部４００へ供給する。
【００２６】
補助電源３５６はバッテリーやコンデンサなど蓄電可能なデバイスで構成しており、主に省電力モード中に省エネ電源３５２を切断することで更なる省エネを実現している。補助電源３５６の充電は、本実施形態では省エネ電源３５２より充電可能とし、画像形成装置がスタンバイもしくは動作中に充電可能なように構成している。しかしながら、メイン電源３５３、駆動系電源３５４もしくはＡＣ電源３５１より充電可能なように構成してもよく、これに限ったものではない。
補助電源監視部３５８は、補助電源３５６の充電容量を監視するもので、充電容量を後述するコントローラ制御部４００内の電源制御部４０９へ通知する。
【００２７】
省エネ電源切替部３５７は、省エネ電源３５２または補助電源３５６またはその両方からの電力をコントローラ制御部４００に供給するための切替を行い、コントローラ制御部４００内の電源制御部４０９より制御される。
【００２８】
メイン電源３５３は、画像形成装置がスタンバイまたは動作時にコントローラ制御部４００に電力を供給する。同時に原稿搬送装置制御部１０１、イメージリーダ制御部２０１、プリンタ制御部３０１、折り装置制御部５０１、フィニッシャ制御部６０１、操作部８００内の各制御部における制御を司るＣＰＵやＲＡＭなどに電力を供給する。
メイン電源監視部３５９は、メイン電源３５３が安定して供給できているかを監視するもので、コントローラ制御部４００内の電源制御部４０９へ通知する。駆動系電源３５４は、メイン電源３５３と同様に各制御部の図示しないモータ、ソレノイド、画像形成に必要な定着部３１３などの比較的高い電力を供給するための電源である。
【００２９】
メイン電源３５３、駆動系電源３５４は、省電力モード時電源供給を切断可能なように、リレー３５５を有し、コントローラ制御部４００内の電源制御部４０９によってＯＮ／ＯＦＦの制御が行われる。なお、省エネ電源３５２と補助電源３５６から電力を供給する電力系統を第２の電力系統と呼び、メイン電源３５３から電力を供給する電力系統を第１の電力系統と呼ぶ。ここで、第２の電力系統は、同系列となる、いわゆる並列的な電源として使用可能に構成されている。
【００３０】
図４は、図３に示したコントローラ制御部４００の構成を示すブロック図である。
図４において、コントローラ制御部４００はＣＰＵ４０１、ＣＰＵ４０１の初期起動プログラムを格納しているＲＯＭ４０２を有する。ＣＰＵ４０１の制御データを一時的に保持し、制御に伴う演算の作業領域として用いられるＲＡＭ４０３がバスブリッジ４０４を介して接続されている。
【００３１】
ＣＰＵ４０１はバスブリッジ４０４を介して、デバイス制御部４０８と通信を行う。デバイス制御部４０８は、原稿搬送装置制御部１０１、イメージリーダ制御部２０１、プリンタ制御部３０１、折り装置制御部５０１、フィニッシャ制御部６０１と接続され制御を司る。
また、ＣＰＵ４０１は、バスブリッジ４０４を介して、操作部８００を制御する操作部制御部４０５およびネットワークを制御する外部Ｉ／Ｆ制御部４０６が接続されている。
ＨＤＤ４０７には、メインプログラム、アプリケーションプログラムの格納および取得した画像データや後述する操作部８００で画像を編集したときの保存用に使用される。
【００３２】
電源制御部４０９は、画像形成装置全体の電源を制御し、電源部３５０と接続される。原稿搬送装置制御部１０１、イメージリーダ制御部２０１、プリンタ制御部３０１、折り装置制御部５０１、フィニッシャ制御部６０１への電源制御を行う。
また、本実施形態の画像形成装置の省電力モードへの電源制御や省電力モードからの復帰する際の電源制御は、電源制御部４０９によって実現される。
【００３３】
コントローラ制御部４００には、省電力モードからの復帰要因を検出する省電力モード復帰要因検出部４１０を有する。
省電力モード復帰要因検出部４１０は、画像形成装置が省電力モードである場合、外部からの復帰要因で省電力モードから復帰させるのを検出する。例えば後述する操作部８００のメインＳＷキー８０４が押下された場合、ネットワークからプリントのジョブが投入された場合である。省電力モード復帰要因検出部４１０が電源制御部４０９に伝えて、電源部３５０内のリレー３５５をＯＮすることにより省電力モード（第２の電力状態）から画像形成可能な第１の電力状態に復帰させる。
【００３４】
図５は、図１に示した画像形成装置の操作部８００の構成を表す図である。
図５において、ＬＣＤ表示部９００は、ＬＣＤ上にタッチパネルシートが貼られており、システムの操作画面を表示するとともに、表示してあるキーが押されるとその位置情報をコントローラ制御部４００に伝える。
テンキー８０１はコピー枚数など、数字の入力時に使用する。スタートキー８０２は、ユーザ所望の条件を設定した後、複写動作、原稿の読取り動作を開始する時などに用いる。ストップキー８０３は稼働中の動作を止めるときに使用する。省エネキー９０４はユーザが省電力モードへの移行、復帰を行うのに使用する。
【００３５】
また、８０５はガイドキーであり、キーの機能が解らないとき押すとそのキーの説明が表示される。８０６はコピーモードキーであり、複写を行うときに押す。８０７はファクスキーであり、ファクスに関する設定を行うときに押す。８０８はファイルキーであり、ファイルデータを出力したいときに押す。８０９はプリンタキーであり、コンピュータ等の外部装置からのプリント出力に関する設定などを行うときに使用する。
本発明を適用した画像形成装置の省電力モードへの移行および復帰方法について詳しく説明する。
図６は、図１に示した画像形成装置の省電力モードの電源供給状態を説明するブロック図である。以下、画像形成装置のコントローラ制御部４００内の省電力モードを実現するための電力状態に関して詳細に説明する。
図７は、図１に示した画像形成装置のコントローラ制御部４００内の電源系統の構成を示す図である。
【００３６】
画像形成装置の省電力モード時は主記憶装置であるＲＡＭ４０３に電源を供給して、ＲＡＭ４０３内にＣＰＵ４０１の設定、メインプログラムおよび必要なデータのみを保持している。省電力モードからの画像形成装置が動作可能なスタンバイ状態に移行するのに必要な復帰要因を検出し起動することを行う。
画像形成装置の省電力モード中は、電源部３５０内の省エネ電源切替部３５７を介して省エネ電源３５２または補助電源３５６からコントローラ制御部４００へ電力が供給される。
【００３７】
このときにコントローラ制御部４００内で電力を供給するのはＲＡＭ４０３、外部Ｉ／Ｆ制御部４０６、電源制御部４０９、省電力モード復帰要因検出部４１０および復帰要因であるメインＳＷキー８０４である。なお、図３に示したメイン電源を第１の電源手段とした場合、省電源３５２は第２の電源手段に対応し、補助電源３５６は第３の電源手段として機能する。また、補助電源３５６は、省エネ電源３５２で充電されることで電力を蓄電する、例えばコンデンサで構成されている。
【００３８】
図６において網掛けした各デバイス、例えばＣＰＵ４０１、ＲＯＭ４０２、バスブリッジ４０４、操作部制御部４０５、ＨＤＤ４０７、デバイス制御部４０８は画像形成装置の省電力モード（第２の電力状態）
時は、電力は供給されない。
【００３９】
本実施形態である省電力モードからスタンバイ状態へ移行する際には、省電力モード復帰要因検出部４１０が電源制御部４０９に伝えて、電源部３５０内のリレー３５５をＯＮすることにより省電力モードから復帰させる。
【００４０】
ここで、リレー３５５をＯＮしてメイン電源３５３が安定して電力を供給可能になるまでは、省エネ電源３５２および補助電源３５６の両方からコントローラ制御部４００内の全てのデバイスに一時電力を供給するように構成している。
【００４１】
具体的には、電源制御部４０９によって電源部３５０内の省エネ電源切替部３５７を省エネ電源３５２および補助電源３５６の両方から電力供給を行う。電源セレクタ４５０は通常メイン電源３５３より通電できるようになっている。本実施形態の省電力モードからの復帰時のみ、電源セレクタ４５０を省エネ電源３５２および補助電源３５６側から供給できるように構成している。
その際、電源制御部４０９は電源セレクタ４５０をＯＦＦして、ＣＰＵ４０１、ＲＯＭ４０２、バスブリッジ４０４、操作部制御部４０５、ＨＤＤ４０７、デバイス制御部４０８へも省エネ電源３５２および補助電源３５６から供給を行うように制御する。詳細な制御フローは、後述する。
【００４２】
図８は、本実施形態を示す画像形成装置の制御方法を説明するフローチャートである。本例は、画像形成装置の省電力モードへ移行する処理例である。なお、各ステップは、電源制御部４０９が記憶された制御プログラムを実行することで実現される。
まず、画像形成装置は動作可能のスタンバイ状態であるとする。ＣＰＵ４０１は、画像形成装置が省電力モードに移行してよいかを監視する（Ｓ１０１）。その条件として、例えばユーザによって操作部８００のメインＳＷキー８０４が押下されたり、もしくは内部タイマによって画像形成装置に動作指示がなく、スタンバイ状態が一定時間続いた場合などを監視する。
【００４３】
ＣＰＵ４０１は省電力モードに移行してよいと判断すると、電源制御部４０９は、電源部３５０内の補助電源監視部３５８より補助電源３５６の充電容量（残存する電力容量）を取得する。電源制御部４０９は、その充電容量が所定容量、例えば１０％より高いかどうかを判断する（Ｓ１０２）。１０％未満であると電源制御部４０９が判断した場合には、そのまま充電（蓄電）させ、充電容量が１０％になるまで待機する。
次に、ＣＰＵ４０１は、ＲＡＭ４０３内にＣＰＵ４０１の設定、メインプログラムおよび必要なデータを格納し、電源制御部４０９に省電力モードへの移行の指示を行う（Ｓ１０３）。
一方、充電容量が１０％以上であると電源制御部４０９が判断した場合には、次に電源制御部４０９は充電容量が１０％ちょうどであるかを判断する（Ｓ１０４）。
【００４４】
ここで、充電容量が１０％より高いと電源制御部４０９が判断した場合には、電源制御部４０９は省エネ電源切替部３５７を補助電源３５６のみからコントローラ制御部４００へ供給できるように切替を行う（Ｓ１０５）。さらに電源制御部４０９は、リレー３５５をＯＦＦし（Ｓ１０６）、メイン電源３５３、駆動系電源３５４を切断し、補助電源３５６のみの通電で実現した省電力モードＡへ移行する。
一方、Ｓ１０４にて、充電容量が１０％であると電源制御部４０９が判断した場合には、電源制御部４０９は省エネ電源切替部３５７を省エネ電源３５２のみからコントローラ制御部４００へ供給できるように切替を行う（Ｓ１０７）。
さらに電源制御部４０９は、リレー３５５をＯＦＦし（Ｓ１０８）、メイン電源３５３、駆動系電源３５４を切断し、省エネ電源３５２の通電で実現した省電力モードＢへ移行する。
【００４５】
図９は、本実施形態を示す画像形成装置の制御方法を説明するフローチャートである。本例は、画像形成装置の補助電源３５６のみの通電で実現した省電力モードＡ中の処理例である。なお、各ステップは、電源制御部４０９が記憶された制御プログラムを実行することで実現される。
まず、補助電源３５６のみの通電で実現した省電力モードＡ中は、補助電源３５６の充電容量を電源制御部４０９が監視している。電源制御部４０９は充電容量が１０％にまで落ちているかを常時監視する（Ｓ２０１）。
【００４６】
充電容量が１０％になった場合には、電源制御部４０９は省エネ電源切替部３５７を省エネ電源３５２からコントローラ制御部４００へ供給できるように切替を行う（Ｓ２０２）。そして、省エネ電源３５２の通電で実現した省電力モードＢへ移行する。省エネ電源３５２の通電で実現した省電力モードＢは、ＡＣ接続された省エネ電源３５２より電力を供給しているため、とくに監視等は実施していない。
【００４７】
図１０は、本実施形態を示す画像形成装置の制御方法を説明するフローチャートである。本例は、画像形成装置の省電力モードから復帰するための処理例である。なお、各ステップは、電源制御部４０９が記憶された制御プログラムを実行することで実現される。
【００４８】
以下、画像形成装置の省電力モード中に操作部８００のメインＳＷキー８０４が押下された場合を想定して復帰処理に関して説明する。
省電力モード復帰要因検出部４１０は、省電力モードからの復帰の指示があるかを監視して（Ｓ３０１）、復帰指示があった場合には電源制御部４０９に省電力モードからの復帰を伝える。
電源制御部４０９は省エネ電源切替部３５７を省エネ電源３５２および補助電源３５６の両方からコントローラ制御部４００へ供給できるように切替を行う（Ｓ３０２）。
【００４９】
次に電源制御部４０９は電源セレクタ４５０をＯＦＦして（Ｓ３０３）、ＣＰＵ４０１、ＲＯＭ４０２、バスブリッジ４０４、操作部制御部４０５、ＨＤＤ４０７、デバイス制御部４０８へも省エネ電源３５２および補助電源３５６の両方から電力供給を行う。ここからＣＰＵ４０１は省電力モードからの復帰処理を開始する。
【００５０】
同時に電源制御部４０９は電源部３５０内のリレー３５５をＯＮして、メイン電源３５３、駆動系電源３５４を起動させる（Ｓ３０４）。電源制御部４０９は電源部３５０内のメイン電源監視部３５９よりメイン電源３５３が安定して供給できる状態になるまで監視する（Ｓ３０５）。
【００５１】
電源制御部４０９は、メイン電源３５３が安定して供給できる状態になったら電源セレクタ４５０をＯＮして（Ｓ３０６）、ＣＰＵ４０１、ＲＯＭ４０２、バスブリッジ４０４、操作部制御部４０５、ＨＤＤ４０７、デバイス制御部４０８への電源供給をメイン電源３５３からの供給に切り替える。
その後、ＣＰＵ４０１は、画像形成装置の復帰処理を行い、いつでも動作可能なスタンバイ状態となり、復帰処理を終了する。
【００５２】
本実施形態では、省電力モードから復帰する際に、補助電源３５６に残す充電容量を１０％としたが、コンデンサやキャパシタ容量に依存するためこれに限ったものではない。また、省電力モード中は補助電源３５６に対して充電しないように構成しているが、省電力モード中に充電可能なように構成した場合には、実施形態２のようになる。
【００５３】
〔第２実施形態〕
図１１は、本実施形態を示す画像形成装置の制御方法を説明するフローチャートである。本例は、画像形成装置が省電力モードへ移行するための処理例である。なお、各ステップは、電源制御部４０９が記憶された制御プログラムを実行することで実現される。
まず、画像形成装置はすぐに動作可能のスタンバイ状態であるとする。ＣＰＵ４０１は、画像形成装置が省電力モードに移行してよいかを監視する（Ｓ４０１）。その条件として、例えばユーザによって操作部８００のメインＳＷキー８０４が押下されたり、もしくは内部タイマによって画像形成装置に動作指示がなく、スタンバイ状態が一定時間続いた場合などを監視する。
【００５４】
ＣＰＵ４０１は省電力モードに移行すると判断するとＲＡＭ４０３内にＣＰＵ４０１の設定、メインプログラムおよび必要なデータを格納し、電源制御部４０９に省電力モードへの移行の指示を行う（Ｓ４０２）。
電源制御部４０９は、電源部３５０内の補助電源監視部３５８より補助電源３５６の充電容量を取得する。電源制御部４０９はその充電容量が１０％より高いかかどうかを判断する（Ｓ４０３）。
【００５５】
電源制御部４０９は充電容量が１０％より高いと判断した場合には、電源制御部４０９は省エネ電源切替部３５７を補助電源３５６のみからコントローラ制御部４００へ供給できるように切替を行う（Ｓ４０４）。
さらに電源制御部４０９は、リレー３５５をＯＦＦし（Ｓ４０５）、メイン電源３５３、駆動系電源３５４を切断し、補助電源３５６のみの通電で実現した省電力モードＡへ移行する。
【００５６】
一方、Ｓ４０３にて、充電容量が１０％未満の場合には、電源制御部４０９は省エネ電源切替部３５７を省エネ電源３５２のみからコントローラ制御部４００へ供給できるように切替を行う（Ｓ４０６）。
さらに電源制御部４０９は、リレー３５５をＯＦＦし（Ｓ４０７）、メイン電源３５３、駆動系電源３５４を切断し、省エネ電源３５２の通電で実現した省電力モードＣへ移行する。
なお、本実施形態において、補助電源３５６のみの通電で実現した省電力モードＡ中のフローは、前述した図９と同様である。
【００５７】
図１２は、本実施形態を示す画像形成装置の制御方法を説明するフローチャートである。本例は、省エネ電源３５２の通電で実現した省電力モードＣ中の処理例である。なお、各ステップは、電源制御部４０９が記憶された制御プログラムを実行することで実現される。
省エネ電源３５２の通電で実現した省電力モードＢ中は、電源制御部４０９は補助電源監視部３５８を介して補助電源３５６を充電する（Ｓ５０１）。
電源制御部４０９は充電容量が１０％を下回っていないか監視し（Ｓ５０２）、充電容量が１０％より小さい場合には補助電源３５６への充電を継続する。
充電容量が１０％になった時点で、電源制御部４０９は補助電源監視部３５８を介して補助電源３５６の充電を終了する。
画像形成装置の省電力モードから復帰するためのフローは、実施形態１の図１０と同様である。
なお、本実施形態においても省電力モードから復帰する際に、補助電源３５６に残す充電容量を１０％としたが、コンデンサやキャパシタ容量に依存するためこれに限ったものではない。
本実施形態によれば、省電力モードからスタンバイに復帰させる際に、メイン電源が安定して立ち上がるまでの間に、省エネ電源および補助電源で復帰処理を行うため、復帰時間が短縮できる。また、補助電源を用意することで省エネ電源の効率を維持して、省電力モード時の電力が低く保つことが可能である。
【００５８】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５９】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００６０】
４０９  電源制御部
３５２  省エネ電源
３５３  メイン電源
３５６  補助電源
【図１】
2015174269.tif 000003
【図２】
2015174269.tif 000004
【図３】
2015174269.tif 000005
【図４】
2015174269.tif 000006
【図５】
2015174269.tif 000007
【図６】
2015174269.tif 000008
【図７】
2015174269.tif 000009
【図８】
2015174269.tif 000010
【図９】
2015174269.tif 000011
【図１０】
2015174269.tif 000012
【図１１】
2015174269.tif 000013
【図１２】
2015174269.tif 000014